(57)【要約】【課題】放射線撮影装置において、計画されていない急な立ち上げ（起動）が想定される場合にも、省電力化と円滑な稼働とを可能にする。【解決手段】放射線の検出器を備えた放射線撮影装置であって、当該撮影装置の主電源がオフからオンに切り換わった時点から前記検出器の温度が撮影許容温度範囲内に到達する時点までの所要時間として所望の時間を設定する設定手段と、当該撮影装置の周囲温度を特定する特定手段と、前記設定された所望の時間と前記特定された周囲温度とに基づいて、前記主電源がオフであるときに前記検出器の保つべき保温温度を決定する決定手段と、前記主電源がオフであるときには前記検出器の温度が前記保温温度になり、前記主電源がオンであるときには前記検出器の温度が前記撮影許容温度範囲内に入るよう、前記検出器の温度を制御する制御手段と、を備えた放射線撮影装置を提供する。【選択図】図２
2016086933.tif 000002
【特許請求の範囲】
【請求項１】
放射線の検出器を備えた放射線撮影装置であって、
当該放射線撮影装置の主電源がオフからオンに切り換わった時点から前記検出器の温度が撮影許容温度範囲内に到達する時点までの所要時間を設定する設定手段と、
当該放射線撮影装置の周囲温度を特定する特定手段と、
前記設定された所要時間と前記特定された周囲温度とに基づいて、前記主電源がオフであるときに前記検出器の保つべき保温温度を決定する決定手段と、
前記主電源がオフであるときには前記検出器の温度が前記保温温度になり、前記主電源がオンであるときには前記検出器の温度が前記撮影許容温度範囲内に入るよう、前記検出器の温度を制御する制御手段と、を備えた放射線撮影装置。
【請求項２】
前記決定手段は、前記主電源がオフであるとき、前記周囲温度の変化に応じて前記保温温度を更新し、
前記制御手段は、前記検出器の温度を前記更新された保温温度になるよう制御する、請求項１に記載の放射線撮影装置。
【請求項３】
前記制御手段は、前記検出器に設けられた第１のヒータと、前記検出器を内包するハウジング内に設けられた第２のヒータとを制御することにより、前記検出器の温度を制御する、請求項１または請求項２に記載の放射線撮影装置。
【請求項４】
前記所要時間及び前記周囲温度の組合せと前記保温温度との対応関係を記憶する記憶手段をさらに備えており、
前記決定手段は、前記対応関係を参照することにより前記保温温度を決定する、請求項１から請求項３のいずれか一項に記載の放射線撮影装置。
【請求項５】
前記主電源がオフからオンに切り換わった時点から、前記検出器の温度が前記撮影許容温度範囲内に入る時点までの間、前記検出器の温度と前記周囲温度とに基づいて、前記検出器の温度が前記撮影許容温度範囲内に入るまでに要する時間を予測する予測手段と、
前記予測された時間を表示する表示手段と、をさらに備えた、請求項１から請求項４のいずれか一項に記載の放射線撮影装置。
【請求項６】
前記制御手段は、前記検出器の温度を制御する際に、当該放射線撮影装置が設置されている撮影室の空調設備を用いて前記周囲温度を制御する、請求項１から請求項５のいずれか一項に記載の放射線撮影装置。
【請求項７】
放射線断層撮影を行う、請求項１から請求項６のいずれか一項に記載の放射線撮影装置。
【請求項８】
前記設定手段は、前記所要時間を３０分以下にて設定する、請求項７に記載の放射線撮影装置。
【請求項９】
コンピュータを、請求項１から請求項９のいずれか一項に記載の放射線撮影装置における各部として機能させるためのプログラム。
【発明の詳細な説明】
【技術分野】
【０００１】
本発明は、放射線を用いた撮影装置の省電力化の技術に関する。
【背景技術】
【０００２】
放射線一般撮影装置や放射線断層撮影装置など、放射線を用いる撮影装置では、その検出器の温度を温度調節装置で略一定に保ち、周囲温度の変化による検出器の感度変化を防止するようにしている。検出器の温度は、ヒータ（heater）で加温したりファン（fan）で冷却したりすることにより、常温よりは有意に高く周囲温度の予想される最高値を下回らない温度、例えば３５℃程度に保たれる（特許文献１，段落［０００６］等参照）。
【０００３】
検出器の温度は、一旦、周囲温度まで下がってしまうと、設定温度に戻すのにかなりの時間を要する。周囲温度にも依るが、放射線断層撮影装置の場合には、１時間程度要することもある。そのため、通常は、撮影装置の主電源をオフ（off）にしても温度調節装置への電力供給は常時オン（on）にして検出器を常にヒータで保温し、主電源投入からの立ち上がり時間の短縮化を図っている。
【０００４】
ところが、上記のように温度調節装置の電力供給を常時オンにして検出器を常に保温してしまうと、例えば夜間は撮影装置を運転させないなど、比較的長い時間、撮影装置の主電源をオフするような場合には、無駄な電力消費が増大する。
【０００５】
そうかと言って、撮影装置の主電源と一緒に温度調節装置の電力供給もオフ（off）してしまうと、主電源をオンにしてからの立ち上がり時間が長くなるので、撮影装置の稼動開始を円滑に行うことができない。例えば、撮影装置の稼動開始時刻が予め決まっているような場合には、この時刻よりもかなり前に主電源をオンにして検出器をウォームアップ（warm up）させなければならない。
【０００６】
従来、このような課題を解決するため、稼働開始時刻を予め設定するとともに、周囲温度を考慮して稼働開始時刻の所定時間前に自動的に主電源をオンにすることで、省電力化と円滑な稼動開始とを可能にする撮影装置が提案されている（特許文献２参照）。
【先行技術文献】
【特許文献】
【０００７】
【特許文献１】特開２０００−３４２５６８号公報
【特許文献２】特許第５５０１６８３号公報
【発明の概要】
【発明が解決しようとする課題】
【０００８】
しかしながら、上記の如く稼働開始時刻前に自動的に主電源をオンにする撮影装置であっても、例えば深夜の急患など、通常稼働していない時間帯に撮影装置を立ち上げなければならない場合や、いつ撮影が必要になるかが分からない場合には、対応できない。特に、放射線断層撮影装置では、検出器のヒータを完全に切っている状態からでは、ウォームアップにおよそ１時間程度掛かる場合がある。一方、急患受入れの第一報を受けてから撮影装置の立ち上げまでに許容される時間は、最大でも３０分程度であると言われている。
【０００９】
そのため、急患の受入れが想定される医療施設など、撮影装置の急な立ち上げが必要とされる場所では、撮影装置は依然として検出器のヒータを入れっぱなしにして使用されており、省電力化を実現できていない。
【００１０】
このような事情により、放射線を用いる撮影装置において、計画されていない急な立ち上げ（起動）が想定される場合にも、省電力化と円滑な稼働とを可能にする技術が望まれている。
【課題を解決するための手段】
【００１１】
第１の観点の発明は、
放射線の検出器を備えた放射線撮影装置であって、
当該放射線撮影装置の主電源がオフからオンに切り換わった時点から前記検出器の温度が撮影許容温度範囲内に到達する時点までの所要時間を設定する設定手段と、
当該放射線撮影装置の周囲温度を特定する特定手段と、
前記設定された所要時間と前記特定された周囲温度とに基づいて、前記主電源がオフであるときに前記検出器の保つべき保温温度を決定する決定手段と、
前記主電源がオフであるときには前記検出器の温度が前記保温温度になり、前記主電源がオンであるときには前記検出器の温度が前記撮影許容温度範囲内に入るよう、前記検出器の温度を制御する制御手段と、を備えた放射線撮影装置を提供する。
【００１２】
第２の観点の発明は、
前記決定手段が、前記主電源がオフであるとき、前記周囲温度の変化に応じて前記保温温度を更新し、
前記制御手段が、前記検出器の温度を前記更新された保温温度になるよう制御する、上記第１の観点の放射線撮影装置を提供する。
【００１３】
第３の観点の発明は、
前記制御手段が、前記検出器に設けられた第１のヒータと、前記検出器を内包するハウジング（housing）内に設けられた第２のヒータとを制御することにより、前記検出器の温度を制御する、上記第１の観点または第２の観点の放射線撮影装置を提供する。
【００１４】
第４の観点の発明は、
前記所要時間及び前記周囲温度の組合せと前記保温温度との対応関係を記憶する記憶手段をさらに備えており、
前記決定手段が、前記対応関係を参照することにより前記保温温度を決定する、上記第１の観点から第３の観点のいずれか一つの観点の放射線撮影装置を提供する。
【００１５】
第５の観点の発明は、
前記主電源がオフからオンに切り換わった時点から、前記検出器の温度が前記撮影許容温度範囲内に入る時点までの間、前記検出器の温度と前記周囲温度とに基づいて、前記検出器の温度が前記撮影許容温度範囲内に入るまでに要する時間を予測する予測手段と、
前記予測された時間を表示する表示手段と、をさらに備えた、上記第１の観点から第４の観点のいずれか一つの観点の放射線撮影装置を提供する。
【００１６】
第６の観点の発明は、
前記制御手段が、前記検出器の温度を制御する際に、当該放射線撮影装置が設置されている撮影室の空調設備を用いて前記周囲温度を制御する、上記第１の観点から第５の観点のいずれか一つの観点の放射線撮影装置を提供する。
【００１７】
第７の観点の発明は、
放射線断層撮影を行う、上記第１の観点から第６の観点のいずれか一つの観点の放射線撮影装置を提供する。
【００１８】
第８の観点の発明は、
前記設定手段が、前記所要時間を３０分以下にて設定する、上記第７の観点の放射線撮影装置を提供する。
【００１９】
第９の観点の発明は、
コンピュータを、上記第１の観点から第９の観点のいずれか一つの観点の放射線撮影装置における各部として機能させるためのプログラムを提供する。
【発明の効果】
【００２０】
本発明によれば、上記構成により、放射線を用いる撮影装置において、計画されていない急な立ち上げ（起動）が想定される場合にも、省電力化と円滑な稼働とを可能にする。
【図面の簡単な説明】
【００２１】
【図１】発明の実施形態に係るＸ線ＣＴ装置の構成を概略的に示す図である。
【図２】発明の実施形態に係るＸ線ＣＴ装置の機能ブロック（block）図である。
【図３】保温温度と稼働許容温度範囲と起動所要時間との関係を示す図である。
【図４】テーブル（table）記憶部に記憶されているテーブルの一例である。
【図５】Ｘ線検出器と回転側温度コントローラ（controller）とを示す図である。
【図６】発明の実施形態に係るＸ線ＣＴ装置における動作の流れを示すフローチャート（flow chart）である。
【発明を実施するための形態】
【００２２】
以下、発明の実施形態について説明する。なお、これにより発明が限定されるものではない。
【００２３】
図１は、発明の実施形態に係るＸ線ＣＴ装置の構成を概略的に示す図である。本装置は、図１に示すように、走査ガントリ（gantry）２、撮影テーブル（table）４、操作コンソール（console）６および電源コントローラ８を備えている。
【００２４】
走査ガントリ２は、Ｘ線管２０、コリメータ２２及びＸ線検出器２４を有している。Ｘ線管２０から放射された不図示のＸ線は、コリメータ（collimator）２２により例えば扇状のＸ線ビーム（beam）すなわちファンビーム（fan beam）となるよう成形され、Ｘ線検出器２４に照射される。
【００２５】
Ｘ線検出器２４は、扇状のＸ線ビームの幅方向および厚さ方向にアレイ（array）状に配列された複数のＸ線検出素子を有している。Ｘ線検出器２４には、データ（data）収集部２６が接続されている。データ収集部２６は、Ｘ線検出器２４の個々のＸ線検出素子の検出データを収集する。
【００２６】
Ｘ線管２０からのＸ線の照射は、Ｘ線コントローラ２８によって制御される。コリメータ２２は、コリメータコントローラ３０によって制御される。
【００２７】
Ｘ線検出器２４は、回転側温度コントローラ３２によって温度調節が行われる。
【００２８】
以上のＸ線管２０から回転側温度コントローラ３２までのものが、走査ガントリ２の回転部３４に搭載されている。
【００２９】
回転部３４の回転は、回転コントローラ３６によって制御される。
【００３０】
走査ガントリ２のハウジング内には、ハウジング内の気温を均一にするための気流を発生させるブロア（blower）３８が設けられている。
【００３１】
ブロア３８は、ブロアコントローラ４０によって制御される。
【００３２】
走査ガントリ２のハウジング内は、固定側温度コントローラ４２によって温度調節が行われる。
【００３３】
回転部３４と、回転コントローラ３６と、ブロア３８と、ブロアコントローラ４０と、固定側温度コントローラ４２とは、走査ガントリ２のハウジング（housing）内に収容されている。
【００３４】
撮影テーブル４は、不図示の被検体を走査ガントリ２のＸ線照射空間に搬入および搬出するようになっている。
【００３５】
操作コンソール６は、中央処理装置６０を有している。中央処理装置６０には、制御インタフェース（interface）６２が接続されている。制御インタフェース６２には、走査ガントリ２と撮影テーブル４が接続されている。中央処理装置６０は、制御インタフェース６２を通じて走査ガントリ２および撮影テーブル４を制御する。走査ガントリ２内のデータ収集部２６、Ｘ線コントローラ２８、コリメータコントローラ３０、回転側温度コントローラ３２、回転コントローラ３６、ブロアコントローラ４０、及び固定側温度コントローラ４２が、制御インタフェース６２を通じて制御される。
【００３６】
中央処理装置６０には、また、データ収集バッファ（buffer）６４が接続されている。データ収集バッファ６４には、走査ガントリ２のデータ収集部２６が接続されている。データ収集部２６で収集されたデータがデータ収集バッファ６４に入力される。
データ収集バッファ６４は、入力データを一時的に記憶する。
【００３７】
中央処理装置６０は、データ収集バッファ６４を通じて収集した複数ビューの投影データに基づいて画像再構成を行う。画像再構成には、例えばフィルタード・バックプロジェクション（filtered back-projection）法等が用いられる。中央処理装置６０には、また、記憶装置６６が接続されている。記憶装置６６は、各種のデータや再構成画像およびプログラム（program）等を記憶する。
【００３８】
中央処理装置６０には、さらに、表示装置６８と操作装置７０が接続されている。表示装置６８は、中央処理装置６０から出力される再構成画像やその他の情報を表示するようになっている。操作装置７０は、操作者によって操作され、各種の指示や情報等を中央処理装置６０に入力するようになっている。
【００３９】
電源コントローラ８は、例えばマイクロプロセッサ（micro-processor）や電力を供給するための回路等により構成される。電源コントローラ８は、商用電源等の電源７と接続されており、常に電力供給を受けている。また、電源コントローラ８は、操作コンソール６の操作装置７０と接続されている。操作装置７０は、操作コンソール６の他の構成要素と異なり、常に電力供給を受けている。電源コントローラ８は、操作装置７０を介して入力された情報を基に、電源７から走査ガントリ２および操作コンソール６（本例では操作装置７０を除く）への電力供給を制御する。
【００４０】
回転側温度コントローラ３２によるＸ線検出器２４の温度調節、及び固定側温度コントローラ４２による走査ガントリ２のハウジング内の温度調節は、この電力供給の制御とは独立して行われる。
【００４１】
図２は、本実施形態に係るＸ線ＣＴ装置の機能ブロック図である。
【００４２】
電源コントローラ８は、図２に示すように、起動所要時間設定部８１、保温温度決定部８２、エナジーセーブ（energy save）制御部８３、電力供給回路８４、電力供給回路制御部８５、テーブル記憶部８８を備えている。また、電源コントローラ８には、Ｘ線ＣＴ装置の外側に設けられた周囲温度センサ９が接続されている。
【００４３】
起動所要時間設定部８１は、操作コンソール６の操作装置７０と接続されている。起動所要時間設定部８１は、例えば操作者が操作装置７０を介して入力した情報を基に、起動所要時間Δｔｔを設定する。起動所要時間Δｔｔとは、本Ｘ線ＣＴ装置の主電源がオフからオンに切り換わった時から、起動が完了して撮影が可能になるまでに要する時間として望まれる時間である。Ｘ線ＣＴ装置の主電源がオフの状態は、エナジーセーブモードに移行している状態であり、電力供給が制限されている。Ｘ線ＣＴ装置の主電源がオンの状態は、エナジーセーブモードから通常モードに移行している状態であり、電力供給の制限が解除されている。なお、起動所要時間設定部８１は、本Ｘ線ＣＴ装置に接続された外部機器からの入力情報により起動所要時間Δｔｔを設定してもよい。
【００４４】
保温温度決定部８２は、Ｘ線ＣＴ装置の主電源がオフであるときにＸ線検出器２４が保つべき温度である保温温度Ｔｗを決定する。
【００４５】
図３は、保温温度Ｔｗと稼働許容温度範囲（撮影許容温度範囲）Ｒと起動所要時間Δｔｔとの関係を示す図である。図３に示すように、保温温度Ｔｗは、時刻ｔ０にＸ線ＣＴ装置の主電源がオフからオンになり、Ｘ線検出器２４の温度（以下、検出器温度）Ｔｄが稼働設定温度Ｔｓに最速で近づくよう制御されたとき、主電源がオンになった時刻ｔ０から、設定された起動所要時間Δｔｔ経過後の時刻ｔ１に、検出器温度Ｔｄが稼動許容温度範囲Ｒに入っているよう決定される。稼働許容温度範囲Ｒは、稼働設定温度Ｔｓ±ΔＭで定義され、例えば、稼働設定温度３５℃±０．５℃のように設定される。保温温度Ｔｗは、起動所要時間Δｔｔと、Ｘ線ＣＴ装置の周囲温度（撮影室内の気温と考えることもできる）Ｔｒとに基づいて、実験結果や経験則から求めることができる。周囲温度Ｔｒは周囲温度センサ９の出力信号に基づいて特定される。本例では、起動所要時間Δｔｔと周囲温度Ｔｒとの組合せとして考えられる組合せごとに保温温度Ｔｗを予め求めておき、これをテーブルにしてテーブル記憶部８８に記憶しておく。保温温度決定部８２は、設定された起動所要時間Δｔｔと、特定された周囲温度Ｔｒとに基づいて、記憶されているテーブルを参照して、保温温度Ｔｗを決定する。
【００４６】
図４は、テーブル記憶部８８に記憶されているテーブルの一例である。例えば、周囲温度Ｔｒが１５℃であり、起動所要時間Δｔｔが１５分であるとき、対応する保温温度Ｔｗは２８℃となる。なお、起動所要時間Δｔｔが長くなるほど、保温温度Ｔｗは低くなり、省電力の効果は高くなるが、起動所要時間Δｔｔが短くなるほど、保温温度Ｔｗは高くなり、省電力の効果は低くなる。
【００４７】
図２に戻り、機能ブロックの各部の説明を続ける。
【００４８】
エナジーセーブ制御部８３は、Ｘ線ＣＴ装置の主電源がオフのときには、検出器温度Ｔｄを保温温度Ｔｗで保持すべく各部を制御する。また、エナジーセーブ制御部８３は、Ｘ線ＣＴ装置の主電源がオンのときには、検出器温度Ｔｄを稼働設定温度Ｔｓに近づくよう各部を制御する。Ｘ線ＣＴ装置の主電源をオンにしてから起動が完了するまでの間は、検出器温度Ｔｄが最速で稼働設定温度Ｔｓに近づくよう各部を制御するとともに、周囲温度Ｔｒと検出器温度Ｔｄとに基づいて起動完了までに要する時間を見積もり、その時間を表示させる制御も行う。
【００４９】
電力供給回路８４は、走査ガントリ２及び操作コンソール６に電力を供給する。電力供給は、走査ガントリ２のハウジング内の温度や検出器温度を制御する部分と、それ以外の主要部分とに分けて行われる。
【００５０】
電力供給回路制御部８５は、電力供給回路８４を制御することにより、電力供給を制御する。
【００５１】
走査ガントリ２の内部には、図２に示すように、固定側プロセッサ（processor）２１２および回転側プロセッサ２１４が設けられている。これらはいずれも例えばマイクロプロセッサ等を用いて構成される。
【００５２】
回転側プロセッサ２１４は走査ガントリ２の回転部３４に搭載され、同じく回転部３４に搭載されているデータ収集部２６、Ｘ線コントローラ２８、コリメータコントローラ３０及び回転側温度コントローラ３２等の制御を統括する。回転側プロセッサ２１４とデータ収集部２６ないし回転側温度コントローラ３２の間では制御用の各種の情報が授受される。
【００５３】
回転側プロセッサ２１４から回転側温度コントローラ３２に与えられる情報には温度設定値が含まれる。回転側温度コントローラ３２から回転側プロセッサ２１４に与えられる情報には温度検出値および制御出力情報が含まれる。なお、回転側温度コントローラ３２の機能を回転側プロセッサ２１４に持たせるようにしても良い。これは上記各情報を授受するためのプロトコル（protocol）が不要になる点で好ましい。温度検出値および制御出力情報は回転側プロセッサ２１４に記憶される。
【００５４】
固定側プロセッサ２１２は走査ガントリ２の非回転側に搭載され、同じく非回転側に搭載されている回転コントローラ３６、ブロアコントローラ４０及び固定側温度コントローラ４２等の制御を統括する。固定側プロセッサ２１２と回転コントローラ３６ないし固定側温度コントローラ４２との間では制御用の各種の情報が授受される。
【００５５】
固定側プロセッサ２１２は、制御インタフェース６２と各種の制御用情報の授受を行う。固定側プロセッサ２１２は、また、制御インタフェース６２と回転側プロセッサ２１４間の情報授受の中継を行う。
【００５６】
制御インタフェース６２を通じて中央処理装置６０から回転側プロセッサ２１４に送られる情報の中に、Ｘ線検出器２４の温度設定値が含まれる。これによって、回転側温度コントローラ３２に調節させるＸ線検出器２４の温度を中央処理装置６０が指定することができる。
【００５７】
図５は、Ｘ線検出器と回転側温度コントローラとを示す図である。回転側温度コントローラ３２は、例えば図５に示すように、Ｘ線検出器２４の近傍に設けられた、検出器温度センサ（sensor）２４２、検出器ヒータ２４４及び検出器ファン（fan）２４６と接続されている。
【００５８】
回転側温度コントローラ３２は、検出器温度センサ（sensor）２４２の出力信号を基に特定された検出器温度Ｔｄと、回転側プロセッサ２１４から与えられる稼働設定温度Ｔｓ（例えば３５℃）との差に基づいて、検出器ヒータ２４４の発熱量や検出器ファン（fan）２４６の風量を制御し、検出器温度Ｔｄを稼働設定温度Ｔｓに一致させるための温度調節を行う。検出器温度Ｔｄを表す情報と、検出器ヒータ２４４及び検出器ファン２４６への電力供給に係る情報は、回転側温度コントローラ３２から回転側プロセッサ２１４に伝えられる。
【００５９】
検出器温度センサ２４２としては、例えばサーミスタ（thermistor）等の感温素子が用いられる。検出器ヒータ２４４としては、例えば電気抵抗を利用した発熱体等が用いられる。検出器ファン２４６としては、例えばモータ駆動によるＡＣファン等が用いられる。
【００６０】
固定側温度コントローラ４２は、走査ガントリ２のハウジング内に設けられた、固定側温度センサ３８２、固定側ヒータ３８４及び固定側ファン３８６と接続されている。固定側温度コントローラ４２は、固定側温度センサ３８２の出力信号に基づいてハウジング内の温度を特定するとともに、固定側ヒータ３８４及び固定側ファン３８６を制御することにより、ハウジング内の温度を調節する。
【００６１】
なお、Ｘ線ＣＴ装置における制御に係る部分は、例えば、コンピュータ（computer）に所定のプログラム（program）を実行させることにより実現される。
【００６２】
これより、本実施形態に係るＸ線ＣＴ装置における動作の流れについて説明する。
【００６３】
図６は、本実施形態に係るＸ線ＣＴ装置における動作の流れを示すフローチャートである。
【００６４】
ステップ（step）Ａ１では、起動所要時間Δｔｔを設定する。具体的には、操作者が、操作装置７０を用いて起動所要時間Δｔｔを事前に設定する操作を行う。起動所要時間設定部８１は、この操作によって生じた信号に基づいて、起動所要時間Δｔｔを設定する。起動所要時間Δｔｔは、任意の時間を設定できるようにしてもよいが、本例では、予め用意された複数の選択肢の中から選択することにより設定する。選択肢は、急患受入れの第一報を受けてからＸ線ＣＴ装置が起動完了するまでに許容される最大時間である３０分以下で設定可能とし、例えば、３０分、２５分、２０分、１５分、１０分、５分の６種類とする。なお、起動所要時間Δｔｔは、３０分以下の所定の時間に半固定的に設定されていてもよい。
【００６５】
ステップＡ２では、Ｘ線ＣＴ装置の主電源をオフにする。具体的には、操作者が、操作装置７０を用いて主電源をオフにする操作を行う。この操作によって生じた信号は、中央処理装置６０、制御インタフェース６２を介して、エナジーセーブ制御部８３に送られる。エナジーセーブ制御部８３は、この信号に基づいて、電力供給回路制御部８５に制御信号を送る。電力供給回路制御部８５は、この制御信号に基づいて、電力供給回路８４を制御し、走査ガントリ２及び操作コンソール６の主要な電力供給を停止させる。ただし、温度のコントロールに関係する部分については電力供給を維持する。
【００６６】
ステップＡ３では、周囲温度Ｔｒを特定する。具体的には、エナジーセーブ制御部８３が、周囲温度センサ９の出力信号に基づいて周囲温度Ｔｒを特定する。
【００６７】
ステップＡ４では、保温温度Ｔｗを決定する。具体的には、保温温度決定部８２は、設定された起動所要時間Δｔｔと、特定された周囲温度Ｔｒとを基に、テーブル記憶部８８に記憶されているテーブルを参照し、Ｘ線検出器２４の保温温度Ｔｗを決定する。
【００６８】
ステップＡ５では、検出器温度Ｔｄを保温温度Ｔｗに近づける制御を行う。具体的には、エナジーセーブ制御部８３が、周囲温度Ｔｒ及び保温温度Ｔｗの情報を基に、ハウジング内温度Ｔｈの目標温度と、検出器温度Ｔｄの目標温度とを設定する。検出器温度Ｔｄの目標温度は保温温度Ｔｗに設定するが、ハウジング内温度Ｔｈの目標温度は、周囲温度Ｔｒと保温温度Ｔｒとの温度差に基づいて設定する。この温度差が大きいときは、ハウジング内温度Ｔｈの目標温度を高めに設定し、この温度差が小さいときは、ハウジング内温度Ｔｈの目標温度を低めに設定する。このようにして、検出器ヒータ２４４に過大な負荷が掛かることを防ぐ。設定されたハウジング内温度Ｔｈの目標温度を表す情報は、固定側プロセッサ２１２を介して固定側温度コントローラ４２に送られる。固定側温度コントローラ４２は、固定側温度センサ３８２の出力信号からハウジング内温度Ｔｈをモニタしつつ、固定側ヒータ３８４及び固定側ファン３８６への供給電力を制御して、ハウジング内温度Ｔｈがその目標温度に近づくよう制御する。一方、検出器温度Ｔｄの目標温度は、回転側プロセッサ２１４を介して回転側温度コントローラ３２に送られる。回転側温度コントローラ３２は、検出器温度センサ２４２の出力信号からＸ線検温度Ｔｄをモニタしつつ、検出器ヒータ２４４への供給電力を制御して、検出器温度Ｔｄがその目標温度に近づくよう制御する。これにより、エナジーセーブモードによる待機状態が形成される。
【００６９】
ステップＡ６では、Ｘ線ＣＴ装置の主電源をオンにする。具体的には、操作者が、操作装置７０を用いて電源をオンにする操作を行う。この操作によって生じた信号は、中央処理装置６０、制御インタフェース６２を介して、エナジーセーブ制御部８３に送られる。エナジーセーブ制御部８３は、この信号に基づいて、電力供給回路制御部８５に制御信号を送る。電力供給回路制御部８５は、この制御信号に基づいて、電力供給回路８４を制御し、走査ガントリ２及び操作コンソール６の主要な電力供給を開始させる。
【００７０】
ステップＡ７では、検出器温度Ｔｄを稼働許容温度範囲Ｒに入るよう制御する。具体的には、エナジーセーブ制御部８３が、周囲温度Ｔｒ及び稼働許容温度範囲Ｒの情報を基に、ハウジング内温度Ｔｈの目標温度と、検出器温度Ｔｄの目標温度とを設定する。検出器温度Ｔｄの目標温度は、稼働設定温度Ｔｓに設定するが、ハウジング内温度Ｔｈの目標温度は、周囲温度Ｔｒと保温温度Ｔｒとの温度差に基づいて設定する。この温度差が大きいときは、ハウジング内温度Ｔｈの目標温度を高めに設定し、この温度差が小さいときは、ハウジング内温度Ｔｈの目標温度を低めに設定する。設定されたハウジング内温度Ｔｈの目標温度を表す情報は、固定側プロセッサ２１２を介して固定側温度コントローラ４２に送られる。固定側温度コントローラ４２は、固定側温度センサ３８２の出力信号からハウジング内温度Ｔｈをモニタしつつ、固定側ヒータ３８４への供給電力を制御して、ハウジング内温度Ｔｈがその目標温度に最速で近づくよう制御する。一方、検出器温度Ｔｄの目標温度は、回転側プロセッサ２１４を介して回転側温度コントローラ３２に送られる。回転側温度コントローラ３２は、検出器温度センサ２４２の出力信号からＸ線検出器２４の温度をモニタしつつ、検出器ヒータ２４４への供給電力を制御して、検出器温度Ｔｄがその目標温度に最速で近づくよう制御する。これにより、エナジーセーブモードからの復帰処理がなされる。
【００７１】
ステップＡ８では、検出器温度Ｔｄを特定する。具体的には、回転側温度コントローラ３２が、検出器温度センサ２４２の出力信号に基づいて検出温度Ｔｄを特定し、エナジーセーブ制御部８３は、その情報を、回転側プロセッサ２１４、固定側プロセッサ２１２を介して受け取る。
【００７２】
ステップＡ９では、周囲温度Ｔｒを特定する。具体的には、エナジーセーブ制御部８３が、周囲温度センサ９の出力信号に基づいて周囲温度Ｔｒを特定する。
【００７３】
ステップＡ１０では、起動予測時間Δｔｅを算出し表示する。具体的には、エナジーセーブ制御部８３が、特定された検出器温度Ｔｄと周囲温度Ｔｒとに基づいて、起動完了して撮影可能になるまでの時間を予測する。そして、制御インタフェース６２、中央処理装置６０を介して、表示装置６８を間接的に制御し、予測した時間を起動予測時間Δｔｅとして表示する。
【００７４】
ステップＡ１１では、検出器温度Ｔｄが稼働許容温度範囲Ｒ内であるかを判定する。具体的には、エナジーセーブ制御部８３が、特定された検出器温度Ｔｄが稼働許容温度範囲Ｒ内であるか否かを判定する。肯定される場合には、起動完了とみなし、ステップＡ１２に進む。否定される場合には、ステップＡ８に戻る。
【００７５】
ステップＡ１２では、起動完了の報知を行う。具体的には、エナジーセーブ制御部８３が、制御インタフェース６２、中央処理装置６０を介して、表示装置６８を間接的に制御し、起動完了の表示を行う。この際、音や光を用いて報知してもよい。
【００７６】
このような本実施形態によれば、上記構成により、Ｘ線ＣＴ装置の主電源をオフした状態であっても、Ｘ線検出器の温度調節を完全にオフするのではなく、設定された起動所要時間に応じた温度で保温するので、計画されていない急な立ち上げ（起動）が想定される場合にも、省電力化と円滑な稼動とを可能にする。
【００７７】
また、本実施形態によれば、移動所要時間の切り換えが可能であるため、起動完了するまでに許容できる時間と省電力の程度とのバランスを考慮して、移動所要時間を所望の時間に設定することができる。
【００７８】
なお、発明は、上記実施形態に限定されず、発明の趣旨を逸脱しない範囲内において種々の変形が可能である。
【００７９】
例えば、本実施形態では、Ｘ線ＣＴ装置が本装置の一部として周囲温度センサ９を備えているが、Ｘ線ＣＴ装置の設置場所に、出力機能つきの温度計を設け、Ｘ線ＣＴ装置がその温度計からの出力を有線または無線により読み取るようにしてもよい。あるいは、操作者がＸ線ＣＴ装置に周囲温度を手動で入力するようにしてもよい。
【００８０】
また例えば、電源コントローラ８の少なくとも一部の機能を、操作コンソール６の中央処理装置６０や走査ガントリ２の温度コントローラ３２、あるいは固定側プロセッサ２１２、回転側プロセッサ２１４等に持たせるようにしてもよい。
【００８１】
また例えば、主電源がオフである時に移行するエナジーセーブモードにおいて、フロアヒータ３８４による走査ガントリのハウジング内の温度調節を行わず、検出器ヒータ２４４によるＸ線検出器２４の温度調節のみを行うようにしてもよい。
【００８２】
また例えば、エナジーセーブモードにおいて、省電力効果を最優先して、Ｘ線ＣＴ装置の主電源がオフであるときに、検出器ヒータ及び固定側ヒータを切ってＸ線検出器２４の保温を行わないというモードを選択肢として設けてもよい。また、主電源がオフであるときも、Ｘ線検出器２４を稼働設定温度に保持するよう制御するモードを選択肢として設けてもよい。
【００８３】
また例えば、Ｘ線ＣＴ装置の主電源をオフにしたときのモードを、日にちや曜日ごとに予約設定することができるカレンダー機能を設けてもよい。
【００８４】
また例えば、Ｘ線ＣＴ装置が設置されている撮影室の空調設備と連携し、検出器温度Ｔｄを制御する際に、撮影室内の温度すなわち周囲温度Ｔｒも積極的に制御して、検出器温度Ｔｄの上昇を加速させたり、各種ヒータへの電力供給を低減したりするようにしてもよい。
【００８５】
また例えば、回転側温度コントローラ３２は、Ｘ線検出器２４を冷却器により冷却して、その温度Ｔｄを周囲温度Ｔｒより低い温度で保持するように温度調節してもよい。
【００８６】
本発明は、Ｘ線ＣＴ装置だけでなく、胸部等を撮影するＸ線一般撮影装置にも適用できる。
【符号の説明】
【００８７】
２  走査ガントリ
４  撮影テーブル
６  操作コンソール
７  電源
８  電源コントローラ
９  周囲温度センサ
２０  Ｘ線管
２２  コリメータ
２４  Ｘ線検出器
２６  データ収集部
２８  Ｘ線コントローラ
３０  コリメータコントローラ
３２  回転側温度コントローラ
３４  回転部
３６  回転コントローラ
４０  ブロアコントローラ
４２  固定側温度コントローラ
６０  中央処理装置
６２  制御インタフェース
６４  データ収集バッファ
６６  記憶装置
６８  表示装置
７０  操作装置
８１  起動所要時間設定部
８２  保温温度決定部
８３  エナジーセーブ制御部
８４  電力供給回路
８５  電力供給回路制御部
８８  テーブル記憶部
２１２  固定側プロセッサ
２１４  回転側プロセッサ
２４２  検出器温度センサ
２４４  検出器ヒータ
２４６  検出器ファン
３８２  固定側温度センサ
３８４  固定側ヒータ
３８６  固定側ファン
【図１】
2016086933.tif 000003
【図２】
2016086933.tif 000004
【図３】
2016086933.tif 000005
【図４】
2016086933.tif 000006
【図５】
2016086933.tif 000007
【図６】
2016086933.tif 000008